(57)【要約】 【課題】  本発明は、設計コスト及び製造コストが低減されると共に、輝度調節を容易に行うことが可能な輝度調整装置を提供する。【解決手段】  輝度調整装置１０は、バスバー４４が配設される取付け部材４１と、取付け部材４１に着脱可能であると共に取付け部材４１に取付けられることでバスバー４４に接続される調整モジュール４２とを備えてなる。調整モジュール４２は、抵抗素子５３を含んでなり、取付け部材４１に選択的に取付け、又は取付けないことでＬＥＤ１８に流れる電流を調整して、光源ユニット１２の輝度を容易に調節可能となっている。また、仕様の異なる光源ユニット１２に対しても、取付け部材４１と調整モジュール４２とを設計すればよいから、設計コストを低減できる。さらに、取付け部材４１と調整モジュール４２という共通部材により輝度調整装置１０を製造できるから製造コストを低減できる。【選択図】  図１０
2007069872.tif 000002
【特許請求の範囲】
【請求項１】
半導体発光素子が配設されてなる車両用光源ユニットの輝度を調整するための輝度調整装置であって、
前記輝度調整装置は、電源側及び前記光源ユニット側に接続される導電部材と、前記導電部材が配設される取付け部材と、前記取付け部材に着脱可能であると共に前記取付け部材に取付けられることで前記導電部材に接続される調整モジュールとを備えてなり、
前記調整モジュールは、抵抗素子を含んでなると共に、前記取付け部材に選択的に取付け、又は取付けないことで前記半導体発光素子に流れる電流の調整をすることが可能になっていることを特徴とする輝度調整装置。
【請求項２】
前記調整モジュールは、複数の前記調整モジュールの端縁部同士が切り離し可能に連結された調整モジュール連結プレートから切り離されることで、前記取付け部材に取付け可能となっていることを特徴とする請求項１記載の輝度調整装置。
【請求項３】
複数の前記調整モジュールを前記取付け部材に取付けることで、前記各調整モジュールは並列に接続されるようになっていることを特徴とする請求項１または請求項２記載の輝度調整装置。
【請求項４】
前記取付け部材は、絶縁部材からなると共に前記両導電部材が組み付けられるボックスを備えており、
前記ボックスには、前記調整モジュールを挿抜可能な差込み口が形成されており、
前記差込み口には、前記導電部材に形成された接続部が臨むように配されており、
前記調整モジュールには、前記接続部に対応する位置に端子部が形成されており、前記調整モジュールが前記差込み口に差し込まれた状態で、前記端子部は前記接続部に接触することを特徴とする請求項１ないし請求項３のいずれかに記載の輝度調整装置。
【発明の詳細な説明】
【技術分野】
【０００１】
本発明は、半導体発光素子が配設されてなる車両用光源ユニットの輝度を調整するための輝度調整装置に関する。
【背景技術】
【０００２】
近年、例えばリヤコンビネーションランプ等の車両用光源ユニットとして、半導体発光素子を光源とするものがある。半導体発光素子を光源として使用する場合、半導体素子の輝度は電流により制御されることから、半導体発光素子に流れる電流を調節することで光源ユニットの輝度を調整する輝度調整装置が必要となる。このような輝度調整装置としては、特許文献１に記載のものが知られている。このものは、１つの回路基板に形成された輝度調整回路に各種電子部品が実装されてなり、光源ユニットを構成する半導体発光素子に流れる電流を調整可能になっている。
【特許文献１】特開２０００−２４３１１０公報（第２図、第８図）
【発明の開示】
【発明が解決しようとする課題】
【０００３】
車両用光源ユニットとしては、例えば複数の半導体発光素子が配設されたものがある。このような光源ユニットにおいては、異なる車種に使用される場合や、同一車種において設計変更がなされた場合など、仕様の差異により光源ユニットに配設される半導体発光素子の数が異なる場合がある。半導体発光素子の数が異なる場合に、光源ユニットとして所定の輝度を得ようとすると、仕様の異なる各光源ユニットに対し、個別に輝度調整装置が必要となるため、設計コスト及び製造コストが増大するという問題点があった。
【０００４】
また、同一の光源ユニットにおいても、例えば、破損等により半導体発光素子を交換した場合、半導体発光素子の順方向電圧にはばらつきが大きいため、交換の前後により光源ユニット全体の順方向電圧が変動し、これにより各半導体発光素子に流れる電流も大きく変動する場合がある。この場合、交換後も光源ユニットが所定の輝度を有するように調節するためには、各半導体発光素子に流れる電流を交換前後で一定に保つ必要があり、輝度調整装置の調整が必要となる。この場合、上記の従来技術においては、回路基板に実装された電子部品を付け替えることが必要となるため、輝度調節が面倒であるという問題点があった。
【０００５】
本発明は上記のような事情に基づいて完成されたものであって、設計コスト及び製造コストが低減されると共に、輝度調節を容易に行うことが可能な輝度調整装置を提供することを目的とする。
【課題を解決するための手段】
【０００６】
上記の目的を達成するための手段として請求項１の発明は、半導体発光素子が配設されてなる車両用光源ユニットの輝度を調整するための輝度調整装置であって、前記輝度調整装置は、電源側及び前記光源ユニット側に接続される導電部材と、前記導電部材が配設される取付け部材と、前記取付け部材に着脱可能であると共に前記取付け部材に取付けられることで前記導電部材に接続される調整モジュールとを備えてなり、前記調整モジュールは、抵抗素子を含んでなると共に、前記取付け部材に選択的に取付け、又は取付けないことで前記半導体発光素子に流れる電流の調整をすることが可能になっていることを特徴とする。
【０００７】
請求項２の発明は、請求項１記載のものにおいて、前記調整モジュールは、複数の前記調整モジュールの端縁部同士が切り離し可能に連結された調整モジュール連結プレートから切り離されることで、前記取付け部材に取付け可能となっていることを特徴とする。
【０００８】
請求項３の発明は、請求項１または請求項２記載のものにおいて、複数の前記調整モジュールを前記取付け部材に取付けることで、前記各調整モジュールは並列に接続されるようになっていることを特徴とする。
【０００９】
請求項４の発明は、請求項１ないし請求項３のいずれかに記載のものにおいて、前記取付け部材は、絶縁部材からなると共に前記両導電部材が組み付けられるボックスを備えており、前記ボックスには、前記調整モジュールを挿抜可能な差込み口が形成されており、前記差込み口には、前記導電部材に形成された接続部が臨むように配されており、前記調整モジュールには、前記接続部に対応する位置に端子部が形成されており、前記調整モジュールが前記差込み口に差し込まれた状態で、前記端子部は前記接続部に接触することを特徴とする。
【発明の効果】
【００１０】
＜請求項１の発明＞
請求項１の発明によれば、輝度調整装置を製造するためには、まず、導電部材と、取付け部材と、調整モジュールとを設計し、続いて、これらの部品により取付け部材及び調整モジュールを製造する。そして、仕様の異なる光源ユニットに対して上述の輝度調整装置を適用する場合には、調整モジュールを取付け部材に取付け又は取付けないことで、輝度調整装置の内部抵抗を任意に調整し、半導体発光素子に流れる電流を調整すればよい。また同様に、同一の光源ユニットにおいて、半導体発光素子の交換後の輝度を調節をする場合も、調整モジュールを取付け部材に取付け又は取付けないことで調節可能となる。
【００１１】
このように、請求項１の発明によれば、仕様の異なる光源ユニット毎に、個別に輝度調整装置を設計しなくてもよいから、設計コストの低減を図ることができる。また、仕様の異なる光源ユニットに適用される輝度調整装置を、導電部材、取付け部材、及び調整モジュールという共通の部品で構成することができるから、製造コストの削減も図ることができる。さらに、調整モジュールを取付け部材に取付け又は取付けないという簡便な手法により、光源ユニットの輝度の調節を容易に行うことができる。
【００１２】
＜請求項２の発明＞
請求項２の発明によれば、調整モジュールは調整モジュール連結プレートに連結された状態で一括して製造されるから、個別に製造する場合に比べて生産効率を向上させることができる。
【００１３】
また、調整モジュールの製造現場から光源ユニットの組付け作業現場へは、調整モジュール連結プレートを積層してまとめた状態で輸送すればよいから、個別の調整モジュールを箱や袋に詰めて輸送する場合に比べて、輸送時の振動により調整モジュール同士がぶつかり合って破損することを防止できるし、また、省スペース化を図ることができる。
【００１４】
＜請求項３の発明＞
請求項３の発明によれば、取付け部材に取付けられた複数の調整モジュールは並列に接続されるようになっているから、取付け部材に取付けられる調整モジュールの個数に比例して、半導体発光素子に流れる電流を調整できる。
【００１５】
＜請求項４の発明＞
請求項４の発明によれば、入力側接続部と出力側接続部とが臨むように配された差込み口に調整モジュールを挿入することで、入力側及び出力側接続部と、調整モジュールの端子部とが接続される。また、調整モジュールを差込み口から引き抜くことで、調整モジュールと入力側及び出力側導電部材との接続を切断することができる。このように請求項４の発明によれば、光源ユニットの輝度の調節が一層容易となる。
【発明を実施するための最良の形態】
【００１６】
本発明の一実施形態を図１ないし図１０によって説明する。本実施形態に係る輝度調整装置１０は、電源１１と、光源ユニット１２を備えた車両用灯具１３との間に接続されると共に、電源１１より供給される電流を調節することで光源ユニット１２の輝度を調整するものである。
【００１７】
灯具１３は、表面側（図１では下側）が開口された浅い箱形をなす合成樹脂製のベース１４（図２参照）と、ベース１４内に収容された光源ユニット１２と、ベース１４の表面開口に嵌められたレンズ１５とを備えてなる。ベース１４の底壁には、図１における右端側に、光源ユニット１２が配設されている。
【００１８】
光源ユニット１２は、円盤状の基台１６と、基台１６の表面に貼着されると共に基台１６よりも一回り小さい円形をなすバスバー１７と、バスバー１７の表面に接続される半導体発光素子１８（以下、ＬＥＤ１８という）と、基台１６の表面側から配設される反射板１９とを備えてなる。バスバー１７は間に隙間を空けて４枚に分割されており（図１参照）、図２に示すように、図示９個のＬＥＤ１８が全体として円形をなすように配されて、各ＬＥＤ１８に設けられた一対のリード端子２０が、所定の分割されたバスバー１７に対して半田付け等によって接続されている。なお、各ＬＥＤ１８は図５に示すように直列に接続されている。
【００１９】
各分割されたバスバー１７の周縁からは、接続端子２１Ａが裏面側に向けて立設されており、各接続端子２１Ａの突出端には、図４に示すように圧接刃２２が形成されている。一方、ベース１４における一段裏面側に引っ込んだ面上には、同図に示すように、圧接刃２２との間で被覆電線２３を圧接することに機能する受け台２４が設置されている。
【００２０】
ベース１４の裏面側には、図１における左端側に、調整ボックス２５が装着されるようになっている。この調整ボックス２５は、基盤２６の上方に、下面開放の箱状をなす蓋体２７が被着された構造であり、その内部に回路基板２８が収容されている。
【００２１】
図３に示すように、基盤２６の一側面には、図示４個の端子収容部２９が設けられており、この端子収容部２９には、それぞれ接続端子２１Ｂが装着されている。この接続端子２１Ｂは、途中で直角曲げされたＬ字をなしており、一端側に弾性接触片３０が形成されていると共に、他端側には圧接刃２２が形成されている。端子収容部２９には、回路基板２８の裏面に設けられた各導電路から引き出された外部接続端子３１がまとめて配されている。これらの外部接続端子３１は、アース側外部接続端子、及びＬＥＤ１８への入力側外部接続端子とされる。
【００２２】
各接続端子２１Ｂが端子収容部２９に収容された状態では、図１に示すように、弾性接触片３０が対応する外部接続端子３１に弾性的に接触して電気的接続が取られる一方、各圧接刃２２が表面側を向いて立ち上がった状態とされる。
【００２３】
また、蓋体２７の表面にはコネクタ部３４が設けられている。このコネクタ部３４は、筒状のハウジング３５が蓋体２７から一体に突設され、回路基板２８の各導電路と接続されたタブ状端子３６がこのハウジング３５内に臨んでいる。このコネクタ部３４には電源１１側から引き出された電線３７の端末に固着されたコネクタ３８が嵌合可能となっている。
【００２４】
回路基板２８のアース側外部接続端子と接続された接続端子２１Ｂから、光源ユニット１２のアース用接続端子２１Ａとにわたって、被覆電線２３からなるアース線３９が布線され、各接続端子２１Ａ，２１Ｂの圧接刃２２に圧接されて接続されている。また、入力側外部接続端子と接続された接続端子２１Ｂから、光源ユニット１２の入力用接続端子２１Ａに向けて被覆電線２３からなる入力線４０がそれぞれ布線され、圧接によって接続されている。
【００２５】
さて、図３に示すように、回路基板２８には輝度調整装置１０が装着されている。輝度調整装置１０は、取付け部材４１と、取付け部材４１に着脱可能に取り付けられる調整モジュール４２とを備えてなる。
【００２６】
図６に示すように、取付け部材４１は、絶縁性を有する合成樹脂材料からなると共に細長い略直方体形状をなすボックス４３と、ボックス４３に配設される２つのバスバー４４（本発明に係る導電部材に相当）と、ボックス４３に着脱可能に取り付けられる調整モジュール４２とを備えてなる。図６におけるボックス４３の上面には、下方に引っ込んで形成される共に調整モジュール４２を挿抜可能な差込み口４５が、ボックス４３の長手方向に図示４つ並んで形成されている。各差込み口４５の断面は、ボックス４３の長手方向に細長く延びる略長方形をなしている。差込み口４５のうち図６における右手前側の側面には、後述する接続部４６を収容可能な接続部収容溝４７が、ボックス４３の長手方向に図示２つ並ぶと共に、ボックス４３の図６における上下面を貫通して形成されている。詳細には図示しないが、差込み口４５内には、差込み口４５の内壁面から突出すると共に下方に延びる係止爪が形成されており、後述する調整モジュール４２の係止部４８と係合するようになっている。
【００２７】
各バスバー４４は、金属板材をプレス成形することで細長い板状をなすと共に断面が略Ｌ字状に曲げ形成されてなる。バスバー４４のうち図６における左側のバスバー４４は、電源１１側と接続される第１バスバー４４Ａとされ、右側のバスバー４４は、光源ユニット１２側に接続される第２バスバー４４Ｂとされる。第１バスバー４４Ａのうち図６における下側の板面は、第２バスバー４４Ｂの下側の板面よりも幅広に形成されている。第１バスバー４４Ａのうち図６における下側の板面の端縁部には、右手前側に突出した後、上方に曲げ形成され、さらに左奥側から下方に折り返されると共に、下方に折り返された部分が側方から見て略山形に曲げ形成されてなる接続部４６が、長手方向に４つ並んで形成されている。また、第２バスバー４４Ｂのうち図６における下側の板面の端縁部には、左奥方に突出した後、上方に曲げ形成され、さらに左奥側から下方に折り返されると共に、下方に折り返された部分が側方から見て略山形に曲げ形成されてなる接続部４６が、長手方向に４つ並んで形成されている。第１及び第２バスバー４４Ａ，４４Ｂの接続部４６のうち、略山形に曲げられた部分の頂点部は、後述する調整モジュール４２の端子部４９と接続する接点部５０とされる。第１及び第２バスバー４４Ａ，４４Ｂを、図６に示すように、下側の板面が互いに対向するような姿勢で配置すると、第１バスバー４４Ａの接続部４６と第２バスバー４４Ｂの接続部４６とは、長手方向について交互に配される共に、接点部５０が左奥側に位置するようになっている。
【００２８】
両バスバー４４Ａ，４４Ｂは、図６におけるボックス４３の下面側から、接続部４６が差込み口４５の接続部収容溝４７に挿入されるようにして組み付けられる。これにより、差込み口４５の内部には、接続部４６が臨むようになっており、各接続部４６の接点部５０が図６における左奥側を向いて、差込み口４５側に位置するようになっている。第１バスバー４４Ａは、ボックス４３に組み付けられた状態では、図６において、ボックス４３のうち底壁の左奥側と、左奥側の側壁とを外側から覆うようになっている。一方、第２バスバー４４Ｂは、ボックス４３に組み付けられた状態では、図６において、ボックス４３のうち底壁の右手前側と、右手前側の側壁とを外側から覆うようになっている（図１０参照）。
【００２９】
取付け部材４１は、第１及び第２バスバー４４Ａ，４４Ｂが、上述した回路基板２８の表面に形成された導電路に、半田付け等により接続されることで取り付けられるようになっている。このとき、第１バスバー４４Ａは、回路基板２８に形成された導電路のうち、コネクタ部３４のタブ状端子３６と接続された導電路と接続されるようになっており、一方、第２バスバー４４Ｂは、回路基板２８に形成された導電路のうち、ＬＥＤ１８への入力側外部接続端子と接続された導電路と接続されるようになっている。
【００３０】
調整モジュール４２は、略矩形状をなす絶縁基板５１の両面に、プリント配線技術により導電路５２が形成されると共に、この導電路５２に抵抗素子５３及び保護用のダイオード５４が実装されてなる。図６における調整モジュール４２の下部は、やや幅狭に形成されており、差込み口４５に差し込まれる挿入部５５とされる。図６における挿入部５５の左側面の下端部には、差込み口４５に形成された係止爪と係合する係止部４８が左方に突設されている。調整モジュール４２の一方の面（図６における手前側の面）には、２つの抵抗素子５３が導電路５２を介して直列に接続されている（図７参照）。図７に示すように、挿入部５５の一方の面には、調整モジュール４２が差込み口４５に挿入されたときに接続部４６と接続可能な端子部４９が、図７における上下方向に延びると共に、左右方向に２つ並んで形成されている。このうち左側の端子部４９は、抵抗素子５３と接続された導電路５２と連なっている。一方、右側の端子部４９の上端部５６には、詳細には図示しないが、絶縁基板５１を貫通すると共に導電材料が充填されたバイアホールが形成されており、調整モジュール４２の他方の面（図６における奥側の面）に形成された導電路５２と電気的に接続されている。また、導電路５２のうち、図７における上端部５７にも、詳細には図示しないが、絶縁基板５１を貫通すると共に導電材料が充填されたバイアホールが形成されており、調整モジュール４２の他方の面（図６における奥側の面）に形成された導電路５２と電気的に接続されている。
【００３１】
図８には、調整モジュール４２の他方の面（図６における奥側の面）を示す。調整モジュール４２の他方の面には、上側に抵抗素子５３が実装されると共に、抵抗素子５３の下方に保護用のダイオード５４が、導電路５２を介して抵抗素子５３と直列に接続されている。ダイオード５４を接続された導電路５２の下端部５８は、上述したバイアホールにより、調整モジュール４２の一方の面側に形成された端子部４９と電気的に接続されている。また、導電路５２のうち、図８における上端部５９も、上述したバイアホールにより、一方の面側の導電路５２と電気的に接続されている。これにより、図５に示すように、各調整モジュール４２においては、ダイオード５４と抵抗素子５３とは直列に接続されるようになっている。
【００３２】
調整モジュール４２の挿入部５５が、ボックス４３の差込み口４５に挿入された状態では、差込み口４５の係止爪が、挿入部５５の係止部４８と弾性的に係合することで、調整モジュール４２の上方への抜け止めがなされるようになっている。また、第１バスバー４４Ａに形成された接続部４６の接点部５０が、図７における右側の端子部４９と弾性的に接触することで、第１バスバー４４Ａと調整モジュール４２との電気的接続がなされる。同様に、第２バスバー４４Ｂに形成された接続部４６の接点部５０が、図７における左側の端子部４９と弾性的に接触することで、第２バスバー４４Ｂと調整モジュール４２との電気的接続がなされる。
【００３３】
図５に示すように、複数の調整モジュール４２が取付け部材４１に取り付けられた状態（図１０参照）では、各調整モジュール４２は、第１及び第２バスバー４４Ａ，４４Ｂに接続されることで、並列に接続されるようになっている。このように、取付け部材４１に調整モジュール４２が取り付けられることにより、輝度調整回路が形成される。
【００３４】
図９に示すように、調整モジュール４２は、複数の調整モジュール４２の端縁部が切り離し可能に連結されてなる調整モジュール連結プレート６０として、一括して製造されるようになっている。具体的には、調整モジュール４２に対応する形状の部材が切り離し可能に連結した形状をなす絶縁基板５１を成形する。その後、プリント配線手段により絶縁基板５１の表面及び裏面に導電路５２を形成すると共に、導電路５２の所定位置に公知の手段によりバイアホールを形成し、絶縁基板５１の表裏に形成された導電路５２を電気的に接続する。続いて、導電路５２の所定位置に抵抗素子５３及びダイオード５４を載置し、公知の手段によりリフロー半田付けを行う。このようにして、調整モジュール連結プレート６０が製造される。
【００３５】
上記のようにして製造された調整モジュール４２は、調整モジュール連結プレート６０から個別に切り出されることで、取付け部材４１に取り付け可能となっている。
【００３６】
続いて、本実施形態の作用、効果について説明する。輝度調整装置１０を製造するためには、まず、第１及び第２バスバー４４Ａ，４４Ｂ、ボックス４３、及び調整モジュール４２を設計する。
【００３７】
次に、調整モジュール４２を、上述したように、調整モジュール連結プレート６０の形態で一括して製造する。これにより、個別に調整モジュール４２を製造する場合に比べて製造コストを低減させることができる。
【００３８】
製造現場で製造された調整モジュール４２は、複数の調整モジュール連結プレート６０が積層してまとめられた状態で、光源ユニット１２の組付け現場に輸送される。これにより、個別の調整モジュール４２を箱や袋に詰めて輸送する場合に比べて、輸送時の振動により調整モジュール４２同士がぶつかり合って破損することを防止できるし、また、輸送時における省スペース化を図ることができる。
【００３９】
一方、金属板材を所定形状に切り出して曲げ形成することで第１及び第２バスバー４４Ａ，４４Ｂを製造し、この第１及び第２バスバー４４Ａ，４４Ｂを、合成樹脂を成形することで形成したボックス４３に取り付けることにより、取付け部材４１を製造する。
【００４０】
上記のようにして製造された取り付け部材４１を回路基板２８に配設し、この回路基板２８を、灯具１３に装着された調整ボックス２５に取付ける。
【００４１】
そして、仕様の異なる光源ユニット１２に対して本実施形態に係る輝度調整装置１０を適用する場合や、同一の光源ユニット１２において、ＬＥＤ１８の交換後の輝度を調節をする場合など、光源ユニット１２の輝度を調節する必要がある場合には、以下のようにすればよい。
【００４２】
まず、取付け部材４１の差込み口４５に、調整モジュール４２が装着されていない場合には、第１バスバー４４Ａと第２バスバー４４Ｂとは電気的に接続されないようになっている。
【００４３】
つづいて、調整モジュール４２を調整モジュール連結プレート６０から切り離し、調整モジュール４２の挿入部５５を差込み口４５の１つに装着すると、係止爪が係止部４８と係合することで調整モジュール４２の抜け止めがなされる。このとき、第１及び第２バスバー４４Ａ，４４Ｂの接続部４６が、調整モジュール４２の端子部４９と接続することで、第１及び第２バスバー４４Ａ，４４Ｂと調整モジュール４２とが電気的に接続される。これにより、電源１１と、光源ユニット１２との間に輝度調整回路が形成され、調整モジュール４２に含まれる抵抗素子５３により光源ユニット１２の輝度調整が可能となる。仮に、調整モジュール４２を１つ装着しただけでは光源ユニット１２の輝度が不足する場合、さらに、他の差込み口４５に調整モジュール４２を装着する。すると、これらの調整モジュール４２は並列に接続されるから、輝度調整装置１０の内部抵抗は、調整モジュール４２を１つだけ装着した場合の二分の一になる。これにより、光源ユニット１２に流れる電流は、調整モジュール４２が１つだけ装着された場合の２倍となる。この状態でも光源ユニット１２の輝度が不足する場合は、さらに調整モジュール４２を差込み口４５に装着することで、光源ユニット１２に流れる電流を、調整モジュール４２が１つだけ装着された場合の３倍にすることができる。このように、光源ユニット１２の輝度が不足する場合は、調整モジュール４２を差込み口４５に装着するという簡便な手法により、光源ユニット１２の輝度を増大させることができる。そして、光源ユニット１２に流れる電流は、調整モジュール４２を取り付ける個数に比例して調整できるから、輝度の調整が容易である。
【００４４】
一方、光源ユニット１２の輝度が大きすぎる場合には、図示しない治具等により係止爪と係止部４８との係合を解除することで調整モジュール４２を差込み口４５から引き抜く。すると、調整モジュール４２と取付け部材４１との電気的接続が切断される。このとき、調整モジュール４２同士は並列に接続されているから、全ての調整モジュール４２が引き抜かれない限り、第１バスバー４４Ａと第２バスバー４４Ｂとの電気的接続が切断されることはない。そして、取付け部材４１に取り付けられた調整モジュール４２の数に比例して光源ユニット１２に流れる電流を減少させることができるから、光源ユニット１２の輝度を低下させることができる。
【００４５】
以上説明したように、本実施形態によれば、仕様の異なる光源ユニット１２毎に、個別に輝度調整装置１０を設計しなくてもよいから、設計コストの低減を図ることができる。また、仕様の異なる光源ユニット１２に適用される輝度調整装置１０を、第１及び第２バスバー４４Ａ，４４Ｂ、ボックス４３及び調整モジュール４２という共通の部品で構成することができるから、製造コストの削減も図ることができる。さらに、接続部４６が臨むように配された差込み口４５に調整モジュール４２を挿入することで、接続部４６と、調整モジュール４２の端子部４９とが接続され、ＬＥＤ１８に流れる電流が増大し、光源ユニット１２の輝度を増大させることができる。また、調整モジュール４２を差込み口４５から引き抜くことで、調整モジュール４２と第１及び第２バスバー４４Ａ，４４Ｂとの接続を切断することができるから、ＬＥＤ１８に流れる電流を減少させて光源ユニット１２の輝度を減少させることができる。このように本実施形態によれば、光源ユニット１２の輝度の調節を容易に行うことができる。
【００４６】
また、取付け部材４１に取付けられた複数の調整モジュール４２は並列に接続されるようになっているから、取付け部材４１に取付けられる調整モジュール４２の個数に比例して、ＬＥＤ１８に流れる電流を調整でき、光源ユニット１２の輝度調節が一層容易となる。
【００４７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４８】
（１）本実施形態では、輝度調整装置１０は、１つの取付け部材４１に対して４つの調整モジュール４２が着脱可能な構成とされていたが、これに限られず、２つ、３つ、又は５つ以上の複数の調整モジュール４２が着脱可能とされる構成でもよい。
【００４９】
（２）本実施形態では、導電部材としては、バスバー４４を用いる構成としたが、これに限られず、導電部材は、電線でもよい。
【００５０】
（３）本実施形態では、光源ユニット１２には９個のＬＥＤ１８が配設される構成としたが、これに限られず、光源ユニット１２には２〜８個又は１０個以上のＬＥＤ１８が配設される構成としてもよいし、また、１つのＬＥＤ１８が配設される構成としてもよい。
【００５１】
（４）本実施形態では、回路基板２８には１つの取付け部材４１が配設される構成としたが、これに限られず、回路基板２８には、２つ以上の複数の取付け部材４１が配設される構成としてもよい。
【００５２】
（５）本実施形態では、被覆電線２３と、接続端子２１Ａ及び接続端子２１Ｂとの接続には圧接刃２２を用いたが、半田付け等、任意の手段を用いることができる。
【図面の簡単な説明】
【００５３】
【図１】本発明に実施形態に係る輝度調整装置が配設された灯具の一部切欠平面図
【図２】調整ボックスと光源ユニット間の接続構造を示す背面図
【図３】調整ボックスの内部構造を示す一部切欠拡大背面図
【図４】圧接構造を示す概略図
【図５】輝度調整回路を示す回路図
【図６】輝度調整装置を示す分解斜視図
【図７】調整モジュールの一方の面を示す正面図
【図８】調整モジュールの他方の面を示す背面図
【図９】調整モジュール連結プレートの平面図
【図１０】取付け部材に複数の調整モジュールが取り付けられた状態を示す斜視図
【符号の説明】
【００５４】
１０…輝度調整装置
１１…電源
１２…光源ユニット
１８…ＬＥＤ（半導体発光素子）
４１…取付け部材
４２…調整モジュール
４３…ボックス
４４Ａ…第１バスバー（導電部材）
４４Ｂ…第２バスバー（導電部材）
４５…差込み口
４６…接続部
４９…端子部
５３…抵抗素子
６０…調整モジュール連結プレート
【図１】
2007069872.tif 000003
【図２】
2007069872.tif 000004
【図３】
2007069872.tif 000005
【図４】
2007069872.tif 000006
【図５】
2007069872.tif 000007
【図６】
2007069872.tif 000008
【図７】
2007069872.tif 000009
【図８】
2007069872.tif 000010
【図９】
2007069872.tif 000011
【図１０】
2007069872.tif 000012